(57)【要約】【課題】水面或いは海面下の所望の深さのタナに仕掛けを確実に導いてそのタナの位置で仕掛けを漂わせることができ、常に高い釣果を期待することができる釣用水中浮き、並びにこの釣用水中浮きを用いた釣り仕掛けを提供することにある。【解決手段】糸通し孔を有する卵形状、楕円体形状または概略楕円体形状の浮き体２と、この浮き体２に設けて上記浮き体２を水中の所定深さ位置に沈めて上記深さ位置およびその深さ位置付近で浮き体２を漂わせる重さの錘３と、からなる釣用水中浮き１Ａ、およびこの水中浮きを用いた釣り仕掛け１７である。【選択図】  図８
2006025708.tif 000002
【特許請求の範囲】
【請求項１】
糸通し孔を有する卵形状、楕円体形状または概略楕円体形状の浮き体と、この浮き体に設けて上記浮き体を水中の所定深さ位置に沈めて上記深さ位置およびその深さ位置付近で浮き体を漂わせる重さの錘と、からなる構成を特徴とする釣用水中浮き。
【請求項２】
浮き体は一端部側から他端部方向に傾斜した切欠部を有することを特徴とする請求項１記載の釣用水中浮き。
【請求項３】
糸通し孔を有する卵形状、楕円体形状または概略楕円体形状の浮き体、及び上記浮き体を水中の所定深さ位置に沈めて上記の深さ位置およびその深さ位置付近で浮き体を漂わせる重さの錘を有する釣用水中浮きと、釣針と、道糸とを少なくとも有し、道糸の先端部を上記の釣用水中浮きの糸通し孔に通すとともに上記の先端部に釣針を設けた構成を特徴とする釣用水中浮きを用いた釣り仕掛け。
【請求項４】
釣用水中浮きは、浮き体の一端部側から他端部方向に傾斜した切欠部を有することを特徴とする請求項３記載の釣用水中浮きを用いた釣り仕掛け。
【発明の詳細な説明】
【技術分野】
【０００１】
本発明は、海や湖、河川等での釣りに使用するものであり、特にメバル釣り等の海釣りに使用すると有用な釣用水中浮き、並びにこの釣用水中浮きを用いた釣り仕掛けに関するものである。
【背景技術】
【０００２】
一般に磯や波止場、船等で釣りをする場合、釣り人は所望の魚種に応じた仕掛けを使って釣を行っている。例えば水中浮きを使った一例の遊動仕掛けとしては、道糸の先端側にシモリ玉、当たり浮き、クッション、水中浮き、クッションをそれぞれ順に取り付けるとともに、先端に釣針を付けたハリスを、道糸の先端にサルカンを介して取り付ける仕掛けなどを使用している。
【０００３】
また、上記仕掛けにおける水中浮きは、潮の流れに仕掛けを乗り易くするためのものであって、比重１よりも大きな比重の木材等によって形成されている。
【０００４】
しかしながら、上記したように水中浮きは、主に潮の流れに仕掛けを乗り易くするためのものであって、所望の深さのタナに仕掛けを確実に沈めてそのタナ付近で仕掛けを漂わせるようにしたものではなかった。
【０００５】
また、上記した構成の遊動仕掛けでは、魚が釣針に付けた餌に食いついて引いた時に、水中浮きが竿側のクッションに引っ掛かって引込み抵抗が大きくなり、魚がすぐに餌を吐いてしまうといった問題があり、釣果にも著しい悪影響を与えてしまう。
【０００６】
【特許文献１】特開２００２−１１２６８４号公報
【特許文献２】特開平１１−１９６７３５号公報
【発明の開示】
【発明が解決しようとする課題】
【０００７】
本発明は上記のような点に鑑みて開発されたものである。その目的は水面或いは海面下の所望の深さのタナに仕掛けを確実に導いてそのタナ付近で仕掛けを漂わせることができ、常に高い釣果を期待することができる釣用水中浮き、並びにこの釣用水中浮きを用いた釣り仕掛けを提供することにある。
【課題を解決するための手段】
【０００８】
本発明は上記した目的を有効に達成するために、次のような構成にしてある。
すなわち、請求項１記載の本発明の釣用水中浮きは、糸通し孔を有する卵形状、楕円体形状または概略楕円体形状の浮き体と、この浮き体に設けて上記浮き体を水中の所定深さ位置に沈めて上記深さ位置およびその深さ位置付近で浮き体を漂わせる重さの錘と、からなる構成である。
【０００９】
請求項２記載の本発明の釣用水中浮きは、請求項１記載の釣用水中浮きの構成において、
浮き体は一端部側から他端部方向に傾斜した切欠部を有することを特徴とする構成である。
【００１０】
請求項３記載の本発明の釣用水中浮きを用いた釣り仕掛けは、糸通し孔を有する卵形状、楕円体形状または概略楕円体形状の浮き体、及び上記浮き体を水中の所定深さ位置に沈めて上記の深さ位置およびその深さ位置付近で浮き体を漂わせる重さの錘を有する釣用水中浮きと、釣針と、道糸とを少なくとも有し、道糸の先端部を上記の釣用水中浮きの糸通し孔に通すとともに上記の先端部に釣針を設けたことを特徴とする構成である。
【００１１】
請求項４記載の本発明の釣用水中浮きを用いた釣り仕掛けは、請求項３記載の本発明の釣用水中浮きを用いた釣り仕掛けの構成において、釣用水中浮きは、浮き体の一端部側から他端部方向に傾斜した切欠部を有することを特徴とする構成である。
【発明の効果】
【００１２】
本発明の釣用水中浮きは、水中の所定深さ位置まで沈むように事前に設定された浮き体と錘とのバランス関係により、例えば海釣りの場合に道糸に取り付けて海に投げ込むことにより、所定深さ位置（所望の魚種の集まっていると推測するタナ）まで自然に沈んでいってそのタナ付近で漂う。したがって、重さの異なる錘を浮き体に設けた本発明の釣用水中浮きを複数準備しておき、その日、その場所における所望の魚種の集まっていると推測したタナに合った釣用水中浮きを選択使用することにより、水中浮きが道糸の先に結び付けた釣針を、そのタナまでで導いてそのタナ付近で釣針を漂わせることができ、所望の魚種の釣果をおおいに期待することができる。
さらに、本発明の釣用水中浮きは、それ自体に適当な重さがあるため、所望の仕掛けに使用して釣りをすることにより、軽い餌や仕掛けを遠くまで投げることができ、広い範囲でタナを素早く探ることができ、なおかつ仕掛けに用いることによって、一定層が探れ易くて魚に食わせ易い仕掛けを提供できる。
【００１３】
また、本発明の釣用水中浮きは、浮き体の一端部側から他端部方向に傾斜した切欠部を有する構成でもあり、海釣り等の場合に、傾斜した切欠部側を手前にして道糸を糸通し孔に通して取り付けることにより、竿を操作して道糸をしゃくったり、道糸を巻いたりしても、浮き体の切欠部の傾斜部分に水が当たって抵抗を受け、浮き体が簡単に浮き上がってこなくなる。そのため、釣針がタナから簡単に離れて行ってしまうのを防止できる。
【００１４】
また、本発明の釣用水中浮きを用いた釣り仕掛けは、上記のように釣用水中浮きによって所望のタナに釣針等を沈めて漂わせることができ、また、釣用水中浮きの糸通し孔に道糸を通してあるので、魚が釣針に取り付けた餌に食いついて引っ張っても、釣用水中浮きの抵抗を受けることなく道糸は引き出されていき、魚の食いに悪影響を及ぼすことなく、釣果を期待することができる。
【００１５】
また、本発明の釣用水中浮きを用いた釣り仕掛けは、切欠部を形成した釣用水中浮きを使用したものでもあるので、上記したように竿を操作して道糸をしゃくったり、道糸を巻いたりしても、浮き体の切欠部の傾斜部分が水の抵抗を受けるため、浮き上がりにくくなり、釣針等がタナから離れてしまうこともない。それゆえに、餌を付けた釣針等は、常に所望のタナ付近に漂わせておくことができ、おおいに釣果を期待することができる。
【発明を実施するための最良の形態】
【００１６】
以下、本発明を実施するための最良の形態を図に基いて説明する。
図１〜図２は、本発明にかかる一例の釣用水中浮きに関する図であって、この図示の釣用水中浮き１Ａは、浮き体２と、この浮き体２に設けた錘３とによって形成されている。
【００１７】
すなわち、上記の浮き体２は、水や海水より比重の軽い合成樹脂や木材、スポンジなどの浮力のある全ての材質によって、長さ３〜１０ｃｍ位、最大径が２〜５ｃｍ位の卵形状、楕円体形状または概略楕円体形状に形成したものであり、中心部の長軸方向に道糸４を通すための貫通した０．５〜５ｍｍ位の糸通し孔５が形成してある。
【００１８】
この浮き体２の一端部寄りには、浮き体２を水中（海中）の所定深さ位置に沈めて上記の位置およびその位置付近で浮き体２を漂わせる比重が１より重い球状等の鉛製の錘３が浮き体２内に埋設してある。勿論、上記したように錘３の比重は１以上であり、釣用水中浮き１Ａを所望のタナ付近に沈められるように、釣用水中浮き１Ａによって浮き体２に設ける錘３の量を調整してある。また、上記の所定深さ位置とは、魚の集まっているいわゆるタナの位置であって、表層用、水面（海面）から１〜３ｍ、３〜５ｍ、或いは６メートル以上の深さ位置である。
【００１９】
本発明にかかる釣用水中浮き１Ａを使用する場合は、浮き体２に設ける錘３の重さを異にして製造される浮力の異なる複数の釣用水中浮き１Ａを準備しておき、海釣り等で所望の魚種の集まっているタナ（水面「海面」からの所望の深さ位置）を推測して、そのタナ付近で漂うことができる浮力の釣用水中浮き１Ａを準備した複数の中から選択して使用すればよい。
【００２０】
図３〜図４は、本発明の別の例の釣用水中浮き１Ｂであって、この例の釣用水中浮き１Ｂは、浮き体２の一端２ａの図中の下側から中央部位にかけて斜め上方向に傾斜形成した１対の切欠部６を、同じ切欠部６の形成によって形成される突条部７の両側に有している。両切欠部６の間隔、すなわち突条部７の幅は特に限定されるものではない。この両切欠部６の形成によって浮き体２の中央部付近の両側には、上記の一端２ａ側から見て傾斜面８が形成されている。その他の構成は、先に示した例の釣用水中浮き１Ｂと同様であり、同一箇所に同一符合を付して説明を省略する。なお、上記の切欠部６は、図示では浮き体２の一端２ａ側から中央部にかけて形成してあるが、浮き体２の他端近傍まで形成するも、或いは浮き体２の長手方向のいずれの位置まで形成するも自由である。
【００２１】
上記のように浮き体２に切欠部６を形成することによって、竿９(図７参照)のリール１０から繰り出されている道糸４を浮き体２の一端２ａから糸通し孔５に通して使用することにより、道糸４をリール１０で巻き戻した時に、釣用水中浮き１Ｂの上記の傾斜面８が水の抵抗を受けて、釣用水中浮き１Ｂは道糸４をしゃくったりしても急に引き上げられることもなく、タナの位置で漂流を続ける。
【００２２】
次に図５、図６は上記した各例の釣用水中浮き１Ａ，１Ｂを使用した本発明にかかる各例の釣り仕掛け１１、１２を示す図である。
【００２３】
図５に示す釣り仕掛け１１は、釣用水中浮き１Ａと、道糸４と、サルカン１３と、ハリス１４と、釣針１５からなり、道糸４の先端部４ａを釣用水中浮き１Ａの糸通し孔５に通すとともに、この先端部４ａをサルカン１３の一端部に結び付け、先端に釣針１５を結び付けたハリス１４の後端部１４ａをサルカン１３の他端部に結び付けた構成からなるものである。
【００２４】
また、図６に示す釣り仕掛け１２も、釣用水中浮き１Ｂと、上記の例と同様に道糸４と、サルカン１３と、ハリス１４と、釣針１５からなり、道糸４の先端部４ａを釣用水中浮き１Ｂの一端２ａ側から糸通し孔５に通すとともに、上記の先端部４ａをサルカン１３の一端部に結び付け、先端に釣針１５を結び付けたハリス１４の後端部１４ａを、サルカン１３の他端部に結び付けた構成からなる。
【００２５】
なお、上記した各釣り仕掛け１１、１２の各釣針１５には、生餌の他に、疑似餌１６を取り付けてもよい。
【００２６】
上記した各例の釣り仕掛け１１、１２を使用して、例えば図７に示すような波止場から海釣りを行う場合は、所望の魚種（例えばメバル等）のいるタナを推測し、そのタナ付近で漂わせることができる浮力の釣用水中浮き１Ａ，１Ｂを備えた釣り仕掛け１１、１２を選択使用する。
【００２７】
そして、波止場に立って海側に竿９を振り出して釣り仕掛け１１、１２を海に飛ばし、釣用水中浮き１Ａ，１Ｂの浮力によって、所望のタナまで餌（または疑似餌）１６を付けた釣針１５を沈めて、そのタナで釣り仕掛け１１、１２を漂わせる。
【００２８】
このようにして釣りをすることにより、そのタナに集まっているメバル等の魚が餌を付けた釣針に食いついて効率良く釣果を上げることができる。
【００２９】
図８は、上記した釣用水中浮き１Ａを使用した他の例の釣り仕掛け１７を示す図である。この例の釣り仕掛け１７は、浮き体２の一端２ａから糸通し孔５に道糸４を通し、この道糸４の先端部４ａに釣針１５を結び付けたものである。この釣り仕掛け１７を使用しても、上記した釣り仕掛け１１とほぼ同じような作用・効果を得て本発明の釣り仕掛けとしての目的を達することができる。
【００３０】
また図９は、上記した釣用水中浮き１Ｂを使用した本発明の釣り仕掛け１８を示す図である。この例の釣り仕掛け１８も、釣り仕掛け１７と同じように、浮き体２の一端２ａから糸通し孔５に道糸４を通し、この道糸４の先端部４ａに釣針１５を結び付け、かつ、釣用水中浮き１Ｂと釣針１５との間の道糸部分に鉛の錘であるガン玉１９を設けたものである。釣用水中浮き１Ｂはガン玉１９によって釣針１５方向への移動が阻止され、釣針１５の傍に釣用水中浮き１Ｂが来ることもなく、魚の食い悪影響を及ばすことがない。この釣り仕掛け１８を使用しても、上記した釣り仕掛け１２とほぼ同じような作用・効果を得て上記した釣り仕掛けとしての目的を達することができる。
【００３１】
なお、本発明の釣用水中浮きは、上記した例の水中浮きに限定されるものではなく、例えば図１０，図１１に示すように、先に説明した釣用水中浮き１Ｂ(図４参照)の切欠部６の傾斜面８の水平線（図示の場合、糸通し孔５を示す線）に対する角度と比べて、さらに急な角度に傾斜面８を形成した切欠部６を有する釣用水中浮き１Ｃであってもよい。その他の構成は先に説明した釣用水中浮き１Ｂの構成と同様であり、同一箇所に同一符合を付して説明を省略する。
【００３２】
また、本発明の釣用水中浮きは、図１２，図１３に示すように、先に説明した釣用水中浮き１Ｂ(図４参照)の切欠部６の傾斜面８の水平線に対する角度と比べて、より急な角度（図上の水平線に対してほぼ９０°に近い角度）に傾斜面８を形成した切欠部６を有する釣用水中浮き１Ｄであってもよい。その他の構成は先に説明した釣用水中浮き１Ｂの構成と同様であり、同一箇所に同一符合を付して説明を省略する。
【００３３】
また、本発明の釣用水中浮きは、図１４，図１５に示すように、釣用水中浮き１Ｂ(図４参照)の切欠部６の傾斜面８の水平線に対する角度に比べて、より緩やかな角度の傾斜面８を形成して切欠部６とした構成の釣用水中浮き１Ｅであってもよい。また、この切欠部６は、浮き体２の一端部２ａから他端部２ｂ寄りまで図示のように形成してある。その他の構成は先に説明した釣用水中浮き１Ｂの構成と同様であり、同一箇所に同一符合を付して説明を省略する。
【００３４】
さらに、本発明の釣用水中浮きは、図１６，図１７に示すように、浮き体２の一端側の近傍を図示のように斜めに切欠して切欠部６とした構成の釣用水中浮き１Ｆであってもよい。したがって、この釣用水中浮き１Ｆにおける浮き体２の全体形状は截頭楕円体形状である。その他の構成は先に説明した釣用水中浮き１Ｂの構成と同様であり、同一箇所に同一符合を付して説明を省略する。
【００３５】
なお、本発明の釣用水中浮きにおいて、浮き体２に対する糸通し孔５の位置や方向は、図示の例に限らず、浮き体２の短軸方向側に傾斜した角度位置、或いはその他の位置、方向に設計変更して形成するも自由である。さらに、本発明にかかる糸通し孔を有する浮き体は、浮き体内を貫通するように糸通し孔を形成した構成に限らず、浮き体輪状等の糸通し部材（図示せず）を浮き体の外部に設けた構成であってもよい。
【００３６】
また、浮き体は、図示の例に限らず、切欠部の傾斜角度、切欠深さ、切欠形状を適宜取り決めて形成するも自由である。さらに、浮き体の大きさ、形状も他の形状に設計変更するも自由である。また、浮き体に対する錘の取り付け位置も、図示の位置に限定されるものではなく、他の位置に設けてもよい、また、錘は、浮き体の中に埋設するも、或いは浮き体の外面に沿わせて設けるも自由であり、かつ、浮き体に対する取り付け位置も、中央部寄りや他の位置であってもよい。さらに、浮き体に設ける錘は、一つの塊または複数であってもよい。
【図面の簡単な説明】
【００３７】
【図１】本発明にかかる一例の釣用水中浮きの斜視図である。
【図２】本発明にかかる一例の釣用水中浮きの正面図である。
【図３】本発明にかかる他の例の釣用水中浮きの斜視図である。
【図４】本発明にかかる他の例の釣用水中浮きの正面図である。
【図５】本発明にかかる一例の釣用水中浮きを用いた釣り仕掛けのである。
【図６】本発明にかかる他の例の釣用水中浮きを用いた釣り仕掛けのである。
【図７】本発明にかかる釣用水中浮きを用いた釣り仕掛けを使用して海釣りを行っている状態を示す説明図である。
【図８】本発明にかかる釣用水中浮きを用いた他の例の釣り仕掛けのである。
【図９】本発明にかかる釣用水中浮きを用いた別の例の釣り仕掛けのである。
【図１０】本発明にかかる別の例の釣用水中浮きの斜視図である。
【図１１】本発明にかかる別の例の釣用水中浮きの正面図である。
【図１２】本発明にかかるまた別の例の釣用水中浮きの斜視図である。
【図１３】本発明にかかるまた別の例の釣用水中浮きの正面図である。
【図１４】本発明にかかるさらに別の例の釣用水中浮きの斜視図である。
【図１５】本発明にかかるさらに別の例の釣用水中浮きの正面図である。
【図１６】本発明にかかるさらに他の例の釣用水中浮きの斜視図である。
【図１７】本発明にかかるさらに他の例の釣用水中浮きの正面図である。
【符号の説明】
【００３８】
１Ａ    釣用水中浮き
１Ｂ    釣用水中浮き
１Ｃ    釣用水中浮き
１Ｄ    釣用水中浮き
１Ｅ    釣用水中浮き
１Ｆ    釣用水中浮き
２      浮き体
３      錘
４      道糸
５      糸通し孔
６      切欠部
１５    釣針
【図１】
2006025708.tif 000003
【図２】
2006025708.tif 000004
【図３】
2006025708.tif 000005
【図４】
2006025708.tif 000006
【図５】
2006025708.tif 000007
【図６】
2006025708.tif 000008
【図７】
2006025708.tif 000009
【図８】
2006025708.tif 000010
【図９】
2006025708.tif 000011
【図１０】
2006025708.tif 000012
【図１１】
2006025708.tif 000013
【図１２】
2006025708.tif 000014
【図１３】
2006025708.tif 000015
【図１４】
2006025708.tif 000016
【図１５】
2006025708.tif 000017
【図１６】
2006025708.tif 000018
【図１７】
2006025708.tif 000019